(57)【要約】  【課題】  流動物収容袋が大容量の場合に胴膨れを防止して容器の破損を防ぐことができると共に、製造コストを増大させることの無い流動物用段ボール製容器を提供する。  【解決手段】  四方に側壁を備えた底蓋４と、底蓋４の側壁の内側に下部が位置する角筒状の枠体１３と、枠体１３の上部開口を塞ぐ上蓋１４とを有する流動物収容袋を収容する流動物用段ボール製容器１０であって、枠体１３は、略長方形状の多層段ボール片からなる第１側壁体と、第１側壁体の内側に固定されると共に、両側部に折り曲げ片を備えた断面略コ字状の内壁体とから構成される一対の第１枠体１、１と、略長方形状の多層段ボール片からなる第２側壁体と、第２側壁体の外側に固定されると共に、両側部に折り曲げ片を備えた断面略コ字状の外壁体とから構成される一対の第２枠体７ａ、７ｂとにより角筒状に形成されている。【選択図】図１０
2019014527.tif 000002
【特許請求の範囲】
【請求項１】
四方に側壁を備えた底蓋と、
前記底蓋の側壁の内側に下部が位置する角筒状の枠体と、
前記枠体の上部開口を塞ぐ上蓋と、を有する流動物収容袋を収容する流動物用段ボール製容器であって、
前記枠体は、略長方形状の多層段ボール片からなる第１側壁体と、該第１側壁体の内側に固定されると共に、両側部に折り曲げ片を備えた断面略コ字状の内壁体とから構成される一対の第１枠体と、
略長方形状の多層段ボール片からなる第２側壁体と、該第２側壁体の外側に固定されると共に、両側部に折り曲げ片を備えた断面略コ字状の外壁体とから構成される一対の第２枠体と、により角筒状に形成されていることを特徴とする流動物用段ボール製容器。
【請求項２】
底蓋の側壁の内側に第２枠体の外壁体の下部が嵌合していることを特徴とする請求項１に記載の流動物用段ボール製容器。
【請求項３】
第２枠体の内側に第１枠体が嵌合していることを特徴とする請求項１又は２に記載の流動物用段ボール製容器。
【請求項４】
第１枠体の第１側壁体の両端部には凸部が形成されており、第２枠体の第２側壁体の両端部と外壁体との間には、前記第１側壁体の凸部を収容する空間部が形成されていることを特徴とする請求項１〜３のいずれか１項に記載の流動物用段ボール製容器。
【請求項５】
第１側壁体と第２側壁体を構成する多層段ボール片は、隣り合う段ボール相互のフルート目方向が互いに直交するように重ね合せて接着して形成されていることを特徴とする請求項１〜４のいずれか１項に記載の流動物用段ボール製容器。
【請求項６】
第１枠体と第２枠体には、各々の対応する位置に流動物収容袋の排出口を引き出すことが可能な開口が形成されていることを特徴とする請求項１〜５のいずれか１項に記載の流動物用段ボール製容器
【発明の詳細な説明】
【技術分野】
【０００１】
本発明は、液体、粉状体、粒状体等の流動物を収容するプラスチック等の合成樹脂から形成されている流動物収容袋を収容する流動物用段ボール製容器に関するものである。
【背景技術】
【０００２】
従来から、流動物収容袋を収容する流動物用段ボール製容器に関する発明は知られている（特許文献１）。
【０００３】
特許文献１に記載の発明は、図１１に示すように、バッグインボックスタイプの液体用複合容器３０において、箱体３１の内側のコーナ３２、３２・・に、このコーナ３２、３２・・を構成する凹部３３、３３・・を塞ぐようにパッド３４、３４・・を配したものである。
【０００４】
これによって、落下時における合成樹脂製のバッグ３５、３６の損傷を防止すると共に、加圧によってバッグ３６内の飲料を注出する際における外側のバッグのコーナ部の局部的な延伸を防止することが可能となった。
【先行技術文献】
【特許文献】
【０００５】
【特許文献１】実開平１−１７６０６６号公報
【発明の概要】
【発明が解決しようとする課題】
【０００６】
しかしながら、上記特許文献１に記載の流動物用段ボール製容器には、単層の段ボールが使用されており、一辺が４０ｃｍ以下の比較的小さな容器である場合には、有効であるが、一辺が１００ｃｍを超えるような大型の容器の場合には、段ボール製容器の側壁が収容されている流動物のヘッド圧により外部へ膨出する所謂胴膨れ現象を起こして破損し易くなるという課題を有していた。
【０００７】
本発明は、上述した問題点を解決するためになされたものであり、流動物を収容するプラスチック等の合成樹脂から形成されている流動物収容袋が大容量の場合において、収容されている流動物のヘッド圧により外部へ膨出する胴膨れを防止して容器の破損を防ぐことができると共に、製造コストを増大させることの無い流動物用段ボール製容器を提供することを目的とする。
【課題を解決するための手段】
【０００８】
請求項１の流動物用段ボール製容器の発明は、四方に側壁を備えた底蓋と、前記底蓋の側壁の内側に下部が位置する角筒状の枠体と、前記枠体の上部開口を塞ぐ上蓋と、を有する流動物収容袋を収容する流動物用段ボール製容器であって、前記枠体は、略長方形状の多層段ボール片からなる第１側壁体と、該第１側壁体の内側に固定されると共に、両側部に折り曲げ片を備えた断面略コ字状の内壁体とから構成される一対の第１枠体と、略長方形状の多層段ボール片からなる第２側壁体と、該第２側壁体の外側に固定されると共に、両側部に折り曲げ片を備えた断面略コ字状の外壁体とから構成される一対の第２枠体と、により角筒状に形成されていることを特徴としている。
【０００９】
請求項１の流動物用段ボール製容器は、第１枠体の第１側壁体と、第２枠体の第２側壁体に多層段ボール片を使用していることから流動物収容袋が大容量の場合に、収容されている流動物のヘッド圧により外部へ膨出する胴膨れを防止することができ、流動物用段ボール製容器の破損を防ぐことができる。また、構成が複雑ではないことから製造コストを増大させることの無い流動物用段ボール製容器を提供できる。
【００１０】
請求項２の発明は、請求項１の発明において、底蓋の側壁の内側に第２枠体の外壁体の下部が嵌合していることを特徴としている。したがって、枠体の強度を更に増加させることができ、一層流動物収容袋の胴膨れを防止して、流動物用段ボール製容器の破損を防ぐことができる。
【００１１】
請求項３の発明は、請求項１又は２の発明において、第２枠体の内側に第１枠体が嵌合していることを特徴としている。したがって、枠体の強度を更に増加させることができ、一層流動物収容袋の胴膨れを防止して、流動物用段ボール製容器の破損を防ぐことができる。
【００１２】
請求項４の発明は、請求項１〜３のいずれかの発明において、第１枠体の第１側壁体の両端部には凸部が形成されており、第２枠体の第２側壁体の両端部と外壁体との間には、前記第１側壁体の凸部を収容する空間部が形成されていることを特徴としている。したがって、角筒状に形成された枠体の角部を補強することができ、流動物収容袋の胴膨れを防止して、流動物用段ボール製容器の破損を防ぐことができる。
【００１３】
請求項５の発明は、請求項１〜４のいずれか１項に記載の発明において、第１側壁体と第２側壁体を構成する多層段ボール片は、隣り合う段ボール相互のフルート目方向が互いに直交するように重ね合せて接着して形成されていることを特徴としている。したがって、隣り合うフルート目方向が互いに平行となるように重ね合された多層段ボール片と比較した場合に強度が増すことから、一層胴膨れを防止して、流動物用段ボール製容器の破損を防ぐことができる。
【００１４】
請求項６の発明は、第１枠体と第２枠体には、各々の対応する位置に流動物収容袋の排出口を引き出すことが可能な開口が形成されていることを特徴としている。したがって、流動物用段ボール製容器から流動物収容袋を取り出すこと無く、流動物を取り出すことができる。
【発明の効果】
【００１５】
請求項１の発明は、流動物収容袋が大容量の場合に、収容されている流動物のヘッド圧により外部へ膨出する胴膨れを防止することができ、流動物用段ボール製容器の破損を防ぐことができる。また、製造コストを増大させることの無い流動物用段ボール製容器を提供できる。請求項２〜５の発明は、一層流動物収容袋の胴膨れを防止して、流動物用段ボール製容器の破損を防ぐことができる。
【００１６】
また、請求項６の発明は、流動物用段ボール製容器から流動物収容袋を取り出すこと無く、流動物を取り出すことができる。
【図面の簡単な説明】
【００１７】
【図１】本発明に係る流動物用段ボール製容器の枠体を構成する一対の第１枠体を示す斜視図である。
【図２】（ａ）第１枠体の一部拡大平面図である。（ｂ）多層段ボール片の他例を示す斜視図である。
【図３】第１枠体を底蓋に設置した状態を示す斜視図である。
【図４】第２枠体を示す斜視図である。
【図５】第２枠体を示す斜視図である。
【図６】（ａ）第２枠体の一部拡大平面図である。（ｂ）多層段ボール片の他例を示す斜視図である。
【図７】第２枠体の一部拡大斜視図である。
【図８】枠体を底蓋に設置した状態を示す斜視図である。
【図９】枠体の一部拡大平面図である。
【図１０】上蓋を載置した状態の流動物用段ボール製容器を示す斜視図である。
【図１１】従来の流動物用段ボール製容器を示す断面図である。
【発明を実施するための形態】
【００１８】
次に、本発明の実施形態を図面に基づいて説明する。図１は、本発明に係る流動物用段ボール製容器の枠体を構成する一対の第１枠体を示す斜視図であり、図２（ａ）は、第１枠体の一部拡大平面図であり、図２（ｂ）は、多層段ボール片の他例を示す斜視図である。また、図３は、第１枠体を底蓋に設置した状態を示す斜視図である。これらの図を用いて第１枠体について説明する。
【００１９】
第１枠体１は、略長方形状の多層段ボール片からなる第１側壁体２と、この第１側壁体２の内側に内壁片３ａが固定されると共に、この内壁片３ａの両側部に折り曲げ片３ｂ、３ｂを備えた断面略コ字状の内壁体３とから構成されている。また、第１枠体１の第１側壁体２の両端部には、内壁体３の内壁片３ａと接触していない凸部２ａ、２ａが形成されている。
【００２０】
尚、図２（ａ）に示す多層段ボール片からなる第１側壁体２は、４枚の段ボールが、隣り合う段ボール相互のフルート目方向が互いに平行となるようにして重ね合せて接着して形成されている。
【００２１】
一方、図２（ｂ）に示す多層段ボール片２２は、６枚の段ボール２２ａ、２２ｂ・・が、隣り合う段ボール２２ａ、２２ｂ相互のフルート目方向が互いに直交するようにして重ね合せて接着して形成されており、これを上記第１側壁体２に適用することも可能である。これにより、隣り合うフルート目方向が互いに平行となるように重ね合された多層段ボール片と比較した場合に強度が増すことから、一層胴膨れを防止して、流動物用段ボール製容器の破損を防ぐことができる。尚、重ね合わせる段ボールの数は、要求される強度に対応して適宜決定されるものである。
【００２２】
第１枠体１の一方側の折り曲げ片３ｂには、略半円形状の切欠き３ｃが形成されており、一対の第１枠体１、１を底蓋４に設置した状態では、図３に示すように、略円形状の開口５となる。この開口５は、後述する第２枠体に形成された開口と位置を一致させることによって、流動物収容袋の排出口を引き出すことを可能としている。
【００２３】
尚、底蓋４は、略長方形状の底板４ａと、この底板４ａの四方に立設された側壁４ｂ、４ｃ、４ｄ、４ｅとから形成されており、図３に示すように、パレット６の上面に載置した後、流動物用段ボール製容器を組み立てることによって流動物収容袋の輸送が容易となる。
【００２４】
図４及び図５は、第２枠体を示す斜視図である。また、図６（ａ）は、第２枠体の一部拡大平面図であり、図６（ｂ）は、多層段ボール片の他例を示す斜視図である。また、図７は、第２枠体の一部拡大斜視図である。これらの図を用いて第２枠体について説明する。
【００２５】
第２枠体７ａ、７ｂは、略長方形状の多層段ボール片からなる第２側壁体８と、この第２側壁体８の外側に外壁片９ａが固定されると共に、この外壁片９ａの両側部に折り曲げ片９ｂ、９ｂを備えた断面略コ字状の外壁体９とから構成されている。また、第２枠体７ａ、７ｂの第２側壁体８の両端部と外壁体９との間には、空間部１１が形成されている。この空間部１１は、後述するように、流動物用段ボール製容器を組み立てる際に、第１側壁体２の凸部２ａ（図２（ａ）参照）を収容する空間である。
【００２６】
図５に示す一方の第２枠体７ｂには、第２側壁体８と外壁片９ａを貫通する開口１２が形成されている。この開口１２は、前述した第１枠体１に形成された開口５と位置を一致させることによって、流動物収容袋の排出口を引き出すことを可能としている。
【００２７】
尚、図６（ａ）に示す多層段ボール片からなる第２側壁体８は、４枚の段ボールが、隣り合う段ボール相互のフルート目方向が互いに平行となるようにして重ね合せて接着して形成されている。
【００２８】
一方、図６（ｂ）に示す多層段ボール片２８は、６枚の段ボール２８ａ、２８ｂ・・が、隣り合う段ボール２８ａ、２８ｂ相互のフルート目方向が互いに直交するようにして重ね合せて接着して形成されており、これを上記第２側壁体８に適用することも可能である。これにより、隣り合うフルート目方向が互いに平行となるように重ね合された多層段ボール片と比較した場合に強度が増すことから、一層胴膨れを防止して、流動物用段ボール製容器の破損を防ぐことができる。尚、重ね合わせる段ボールの数は、要求される強度に対応して適宜決定されるものである。
【００２９】
図８は、枠体を底蓋に設置した状態を示す斜視図であり、図９は、枠体の一部拡大平面図である。また、図１０は、上蓋を載置した状態の流動物用段ボール製容器を示す斜視図である。これらの図を用いて本発明に係る流動物用段ボール製容器について説明する。
【００３０】
本発明に係る流動物用段ボール製容器１０は、流動物収容袋（図示せず）を収容するものであって、四方に側壁を備えた底蓋４と、この底蓋４の側壁の内側に下部が位置する角筒状の枠体１３と、この枠体１３の上部開口を塞ぐ上蓋１４とを有している。
【００３１】
枠体１３は、一対の第１枠体１、１と、一対の第２枠体７ａ、７ｂとが組み合わされて角筒状に形成されている。そして、角筒状に形成された状態では、第２枠体７ａ、７ｂの第２側壁体８の両端部と外壁体９との間に形成される空間部１１（角部４箇所に形成されている。）に凸部２ａが収容されている（図９参照）。この状態では、第２枠体７ａ、７ｂの内側に第１枠体１、１が嵌合された状態となっている。
【００３２】
枠体１３を角筒状に組み合わせる手順は次のとおりである。先ず、図３に示すように、底蓋４の底板の上面に、折り曲げ片３ｂ、３ｂを直角に折り曲げた状態の一対の第１枠体１、１を対向するように載置する。次に、図８に示すように、折り曲げ片９ｂ、９ｂを直角に折り曲げた状態の第２枠体７ｂを、第１枠体１、１の折り曲げ片３ｂ、３ｂの外側に、第２側壁体８が位置するようにすると共に、開口５と開口１２が一致するようにして、底蓋４の底板の上面に載置する。同様に、折り曲げ片９ｂ、９ｂを直角に折り曲げた状態の一対の第２枠体７ａ、７ｂを、第１枠体１、１の折り曲げ片３ｂ、３ｂの外側に、第２側壁体８が位置するようにして、底蓋４の上面に載置すると、図８に示す角筒状の枠体１３が形成されるのである。
【００３３】
図８に示す状態の枠体１３は、第２枠体７ａ、７ｂの外壁体９、９の下部が底蓋４の側壁４ｂ、４ｃ、４ｄ、４ｅの内側に嵌合された状態となっている。また、第２枠体７ａ、７ｂの内側に第１枠体１、１が嵌合された状態となっている。そして、図８に示す状態で、枠体１３の上部開口から図示しない流動物収容袋が挿入された後、流動物収容袋に流動物が充填される。最後に、図１０に示すように、上蓋１４が、枠体１３の上部開口を塞ぐように枠体１３の上部と嵌合して流動物用段ボール製容器１０による流動物収容袋の収容が完了する。そして、流動物用段ボール製容器１０は、図１０に示す状態で、締め付けバンド（図示せず）により、運搬用パレット６と共に、外周を固く緊締される。尚、締め付けバンドは、金属製、合成樹脂製のいずれでもよい。また、粘着テープで上蓋１４と枠体１３とを固定する補強をしてもよく、枠体１３を構成する第１枠体１、１と第２枠体７ａ、７ｂとを粘着テープで固定する補強をしてもよい。
【産業上の利用可能性】
【００３４】
本発明の流動物用段ボール製容器は、液体、粉状体、粒状体等の流動物を収容するプラスチック等の合成樹脂から形成されている流動物収容袋を収容する容器として使用される。
【符号の説明】
【００３５】
１  第１枠体
２  第１側壁体
２ａ  凸部
３  内壁体
３ａ  内壁片
３ｂ、９ｂ  折り曲げ片
３ｃ  切欠き
４  底蓋
４ｂ、４ｃ、４ｄ、４ｅ  側壁
５、１２  開口
６  パレット
７ａ、７ｂ  第２枠体
８  第２側壁体
９  外壁体
９ａ  外壁片
１０  流動物用段ボール製容器
１１  空間部
１３  枠体
１４  上蓋
【図１】
2019014527.tif 000003
【図２】
2019014527.tif 000004
【図３】
2019014527.tif 000005
【図４】
2019014527.tif 000006
【図５】
2019014527.tif 000007
【図６】
2019014527.tif 000008
【図７】
2019014527.tif 000009
【図８】
2019014527.tif 000010
【図９】
2019014527.tif 000011
【図１０】
2019014527.tif 000012
【図１１】
2019014527.tif 000013